(57)【要約】【課題】  特に光線を用いて足を乾燥殺菌することにより、水虫菌などの感染を予防する殺菌乾燥機を提供する。【解決手段】  箱型を呈し、少なくとも片足を収容できる大きさを有する本体と、前記本体の内部に設けられると共に、電源と接続され、赤外線、可視光線、紫外線を発光可能な、少なくとも１つの発光装置と、透明材料からなると共に、前記本体の内部に設けられ、使用者の足を乗せるための足置き板と、を有することを特徴とする。【選択図】  図１
0003134338.tif 000002
【実用新案登録請求の範囲】
【請求項１】
箱型を呈し、少なくとも片足を収容できる大きさを有する本体と、
前記本体の内部に設けられると共に、電源と接続され、赤外線、可視光線、紫外線を発光可能な、少なくとも１つの発光装置と、
透明材料からなると共に、前記本体の内部に設けられ、使用者の足を乗せるための足置き板と、を有することを特徴とする殺菌乾燥機。
【請求項２】
前記発光装置が複数のナローバンド波長のＬＥＤ光源と回路板とからなり、該回路板が電源装置と電気接続されることを特徴とする請求項１に記載の殺菌乾燥機。
【請求項３】
前記ナローバンド波長のＬＥＤ光源が表面実装部品の光源であることを特徴とする請求項２に記載の殺菌乾燥機。
【請求項４】
前記ナローバンド波長のＬＥＤ光源が連続発光或いは点滅発光できることを特徴とする請求項３に記載の殺菌乾燥機器。
【請求項５】
前記発光装置が本体の内部下面に設けられることを特徴とする請求項４に記載の殺菌乾燥機。
【請求項６】
前記発光装置が本体の内部上面、下面、左側面若しくは右側面に設けられることを特徴とする請求項４に記載の殺菌乾燥機。
【請求項７】
前記足置き板の中央部に複数の孔を有するネットが設けられることを特徴とする請求項１乃至６の何れか１項に記載の殺菌乾燥機。
【請求項８】
前記本体の内部前面及び後面にそれぞれ、前記足置き板を支持するための位置決めロッドが設けられることを特徴とする請求項７に記載の殺菌乾燥機。
【請求項９】
前記本体は開口を有し、該開口の底部に、前記一方の位置決めロッドの一側に位置するカバープレートが設けられると共に、他方の位置決めロッドは、該開口と対向する本体の内部前面に設けられることを特徴とする請求項８に記載の殺菌乾燥機。
【請求項１０】
前記他方の位置決めロッドがカバープレート側の位置決めロッドより高く位置することを特徴とする請求項９に記載の殺菌乾燥機。
【請求項１１】
前記電源装置は、スイッチとプラグを有するケーブルとを備えるものであり変圧器と接続されることを特徴とする請求項１０に記載の殺菌乾燥機。
【請求項１２】
前記本体の内部に更に反射装置が設けられ、該反射装置は鏡であると共に、前記発光装置が発する光線を反射させて足の周りを照らすことを特徴とする請求項１１に記載の殺菌乾燥機。
【請求項１３】
前記本体の内部に通風用のファンが設けられることにより、足の周りの乾燥速度を向上させることを特徴とする請求項１２に記載の殺菌乾燥機。
【考案の詳細な説明】
【技術分野】
【０００１】
本考案は、特に光線を用いて足を乾燥殺菌することにより、水虫菌などの感染を予防する殺菌乾燥機に関するものである。
【背景技術】
【０００２】
東南アジアなどでは、湿度が非常に高いことから、汗で靴の内部が蒸れてしまい、水虫などに罹りやすいが、それを予防するには、入浴後又は足を洗った後、すぐにタオルなどで水を拭き取るのが一般的である。
【考案の開示】
【考案が解決しようとする課題】
【０００３】
しかしながら、タオルにより足についた水を拭き取る時、若しタオルに水虫菌などが付着していると、かえって水虫が感染する原因となる恐れがある。又、足に大量の水が付いている場合は、タオルで念入りに拭き取る必要があるので、非常に面倒である。
【０００４】
更に、仕事場にいる時に、汗で足が湿っていると、足を常に乾燥している状態に保つことができないので、水虫の予防にとっては非常に深刻な問題である。
【０００５】
また、水虫の予防対策としては、靴下を洗濯して日干しすることが有効であるが靴を日干しした時に、靴の内部までは太陽の光線により完全に殺菌乾燥することはできない。
【０００６】
そこで、案出されたのが本考案であって、箱型の本体と、該本体の内部に設けられる発光装置と、透明材料からなる足置き板とを有し、該発光装置が発する光線で足を乾燥殺菌して水虫などを予防する殺菌乾燥機を提供することを目的としている。
【課題を解決するための手段】
【０００７】
本願の請求項１の考案は、箱型を呈し、少なくとも片足を収容できる大きさを有する本体と、
前記本体の内部に設けられると共に、電源と接続され、赤外線、可視光線、紫外線を発光可能な、少なくとも１つの発光装置と、
透明材料からなると共に、前記本体の内部に設けられ、使用者の足を乗せるための足置き板と、を有することを特徴とする殺菌乾燥機、を提供する。
【０００８】
本願の請求項２の考案は、前記発光装置が複数のナローバンド波長のＬＥＤ光源と回路板とからなり、該回路板が電源装置と電気接続されることを特徴とする請求項１に記載の殺菌乾燥機、を提供する。
【０００９】
本願の請求項３の考案は、前記ナローバンド波長のＬＥＤ光源が表面実装部品の光源であることを特徴とする請求項２に記載の殺菌乾燥機、を提供する。
【００１０】
本願の請求項４の考案は、前記ナローバンド波長のＬＥＤ光源が連続発光或いは点滅発光できることを特徴とする請求項３に記載の殺菌乾燥機器、を提供する。
【００１１】
本願の請求項５の考案は、前記発光装置が本体の内部下面に設けられることを特徴とする請求項４に記載の殺菌乾燥機、を提供する。
【００１２】
本願の請求項６の考案は、前記発光装置が本体の内部上面、下面、左側面若しくは右側面に設けられることを特徴とする請求項４に記載の殺菌乾燥機、を提供する。
【００１３】
本願の請求項７の考案は、前記足置き板の中央部に複数の孔を有するネットが設けられることを特徴とする請求項１乃至６の何れか１項に記載の殺菌乾燥機、を提供する。
【００１４】
本願の請求項８の考案は、前記本体の内部前面及び後面にそれぞれ、前記足置き板を支持するための位置決めロッドが設けられることを特徴とする請求項７に記載の殺菌乾燥機、を提供する。
【００１５】
本願の請求項９の考案は、前記本体は開口を有し、該開口の底部に、前記一方の位置決めロッドの一側に位置するカバープレートが設けられると共に、他方の位置決めロッドは、該開口と対向する本体の内部前面に設けられることを特徴とする請求項８に記載の殺菌乾燥機、を提供する。
【００１６】
本願の請求項１０の考案は、前記他方の位置決めロッドがカバープレート側の位置決めロッドより高く位置することを特徴とする請求項９に記載の殺菌乾燥機、を提供する。
【００１７】
本願の請求項１１の考案は、前記電源装置は、スイッチとプラグを有するケーブルとを備えるものであり変圧器と接続されることを特徴とする請求項１０に記載の殺菌乾燥機、を提供する。
【００１８】
本願の請求項１２の考案は、前記本体の内部に更に反射装置が設けられ、該反射装置は鏡であると共に、前記発光装置が発する光線を反射させて足の周りを照らすことを特徴とする請求項１１に記載の殺菌乾燥機、を提供する。
【００１９】
本願の請求項１３の考案は、前記本体の内部に通風用のファンが設けられることにより、足の周りの乾燥速度を向上させることを特徴とする請求項１２に記載の殺菌乾燥機、を提供する。
【考案の効果】
【００２０】
本考案は上記の課題を解決するものであり、タオルなどで足に付着している水を拭き取るのではなく、光線により足を乾燥殺菌することから、確実に且つ効率的に水虫などを予防することができる。更に、本考案の殺菌乾燥機から発光装置を取り外し、その外された発光装置の光線により靴又は靴下の内部を乾燥殺菌することもできるので、より効果的に水虫を予防することができる。
【考案を実施するための最良の形態】
【００２１】
以下、添付図面を参照して本考案の好適な実施の形態を詳細に説明する。尚、下記実施例は、本考案の好適な実施の形態を示したものにすぎず、本考案の技術的範囲は、下記実施例そのものに何ら限定されるものではない。
【００２２】
図１は本考案に係る殺菌乾燥機の第１実施例を示す斜視図であり、図２は本考案に係る殺菌乾燥機の第１実施例の使用状態を示す側面断面図であり、図３は本考案に係る殺菌乾燥機の第２実施例を示す斜視図であり、図４は本考案に係る殺菌乾燥機の第３実施例の使用状態を示す側面断面図である。
【００２３】
図１及び図２に示すように、本考案に係る殺菌乾燥機の第１実施例は、その内部前面及び後面にそれぞれ、足置き板（３０）を支持するための位置決めロッド（１４）が設けられると共に、開口（１１）と、少なくとも片足を収容できる大きさを有する収容空間（１２）とを有し、該開口（１１）の底部に、前記一方の位置決めロッド（１４）の一側に位置するカバープレート（１３）が設けられ、他方の位置決めロッド（１４）が本体（１０）の内部前面に設けられると共に、前記一方の位置決めロッド（１４）より高い位置に設けられる、箱型の本体（１０）と、
複数のナローバンド波長のＬＥＤ光源（２１）と回路板（２２）とからなり、該ナローバンド波長のＬＥＤ光源（２１）が赤外線、可視光線、紫外線を発光可能である表面実装部品（surface mount device、SMD）の光源で前記回路板（２２）の上に設けられ、該回路板（２２）が通常、本体（１０）の内部に設けられ、ナローバンド波長のＬＥＤ光源（２１）の発光を制御し、使用者の都合に応じて該ナローバンド波長のＬＥＤ光源（２１）を連続発光或いは点滅発光させることができるものであるが、本実施例のように、該本体（１０）の内部底部に設けられてもよく、更に該回路板（２２）が電源装置（図面にない）と電気接続され、本実施例においては、該電源装置がスイッチ（２３）とプラグを有するケーブル（２４）とを備えると共に、変圧器と連結され、１１０ボルト（Ｖ）又は２２０ボルトの電圧に用いられることが好ましい発光装置（２０）と、
透明材料からなると共に、前記本体（１０）の内部前面における位置決めロッド（１４）とカバープレート（１３）に設けられる位置決めロッド（１４）に掛止されるように本体（１０）の内部において傾斜状に設置される、使用者の足を乗せるための足置き板（３０）と、を有する。
【００２４】
更に、前記本体（１０）の内部に反射装置（図示せず）と通風用のファン（図示せず）が設けられ、該反射装置は、前記発光装置（２０）が発する光線を反射して足の周り（４０）や指（４１）の間を照らし、又、該ファンは、、足の周り（４０）や指（４１）の間の乾燥速度を向上させる。尚、前記反射装置は、鏡であってもよい。
【００２５】
本考案の殺菌乾燥機を用いて使用者の足の周り（４０）に付着している水を取り除く時は、前記足置き板（３０）上に足をのせ、該足置き板（３０）を通過する、ナローバンド波長のＬＥＤ光源（２１）が発する光線により足を照らし、使用者の足の周り（４０）や指（４１）の間に付着している水を蒸発乾燥させる。
【００２６】
図３に示すように、本考案の第２実施例においては、足置き板（３０’）の中央部に複数の孔（３１）を有するネットが設けられることにより、ナローバンド波長のＬＥＤ光源（２１）の光線が該孔（３１）を通過して、使用者の足の周り（４０）及び指（４１）の間を照らすことにより、足の周り（４０）及び指（４１）の間に付着した水を蒸発乾燥させる。
【００２７】
図４に示すように、本考案の第３実施例においては、発光装置（２０）により使用者の足の周り（４０）及び指（４１）の間を照らし、付着した水を蒸発乾燥させるものであることから、該発光装置（２０）は、本体（１０）の内部における上面、底面、左側面、右側面の何処に設けても構わない。
【産業上の利用可能性】
【００２８】
本考案は上記の構成を有することから、ナローバンド波長のＬＥＤ光源（２１）が発する光線で足の周り（４０）や指（４１）の間を照らして、水分を蒸発乾燥させるだけでなく、殺菌作用も有するので、水虫菌などの感染を予防することができる。
【図面の簡単な説明】
【００２９】
【図１】本考案に係る殺菌乾燥機の第１実施例を示す斜視図である。
【図２】本考案に係る殺菌乾燥機の第１実施例の使用状態を示す側面断面図である。
【図３】本考案に係る殺菌乾燥機の第２実施例を示す斜視図である。
【図４】本考案に係る殺菌乾燥機の第３実施例の使用状態を示す側面断面図である。
【符号の説明】
【００３０】
（１０）        本体
（１１）        開口
（１２）        収容空間
（１３）        カバープレート
（１４）        位置決めロッド
（２０）        発光装置
（２１）        ナローバンド波長のＬＥＤ光源
（２２）        回路板
（２３）        スイッチ
（２４）        ケーブル
（３０）        足置き板
（３０’）      足置き板
（３１）        孔
（４０）        足の周り
（４１）        指
【図１】
0003134338.tif 000003
【図２】
0003134338.tif 000004
【図３】
0003134338.tif 000005
【図４】
0003134338.tif 000006